(57)【要約】【課題】使用する包装材料のガスバリア性の要求レベルが異なる一対の内容物を同一袋内にセットで収納でき、内容物の混合使用に容易に混合が可能な包装袋を提供することにある。【解決手段】基材フィルム層の一方の面にシーラント層を積層し、他方の面に基材フィルム層より狭い所定幅のガスバリア層を積層した積層材料からなり、一辺に開口辺を有し、他辺がシールされている袋であって、開口辺の所定位置に直角に設けたヒートシール部で隔離された２つの内容物収納部を有し、該内容物収納部の片方が前記積層材料のガスバリア層が積層されている層構成部分で囲まれており、他方が前記積層材料のガスバリア層が積層されていない層構成部分で囲まれており、ガスバリア層が水蒸気透過度２０ｇ／ｍ2 ・２４ｈ以下で、酸素透過度５ｍｌ／ｍ2 ・２４ｈ・ａｔｍ以下であるバリア性積層フィルムからなり、ヒートシール部のシール強度が２〜１０Ｎ／１５ｍｍ幅である。【選択図】図１
2005153979.tif 000002
【特許請求の範囲】
【請求項１】
基材フィルム層の一方の面にシーラント層を積層し、他方の面に基材フィルム層より狭い所定幅のガスバリア層を積層した積層材料からなり、一辺に開口辺を有し、他辺がシールされている袋であって、開口辺の所定位置に直角方向に設けたイージーピール性のヒートシール部で隔離された２つの内容物収納部を有し、該内容物収納部の片方が前記積層材料のガスバリア層が積層されている層構成部分で囲まれており、他方が前記積層材料のガスバリア層が積層されていない層構成部分で囲まれていることを特徴とする包装袋。
【請求項２】
前記ガスバリア層が水蒸気透過度２０ｇ／ｍ2 ・２４ｈ以下で、酸素透過度５ｍｌ／ｍ2 ・２４ｈ・ａｔｍ以下であるバリア性積層フィルムからなることを特徴とする請求項１記載の包装袋。
【請求項３】
前記イージーピール性のヒートシール部のシール強度が９０°剥離で２〜１０Ｎ／１５ｍｍ幅であることを特徴とする請求項１又は請求項２記載の包装袋。
【発明の詳細な説明】
【技術分野】
【０００１】
本発明は、使用する包装材料のガスバリア性の要求レベルが異なる一対の内容物を同一袋内にセットで収納できる包装袋に関するものである。
【背景技術】
【０００２】
収納保存時に使用する包装材料のガスバリア性の要求レベルが異なる一対の内容物として、例えば、トイレタリ用品では２液反応タイプのヘアーカラー剤やパーマ液があり、日用品では個液反応タイプの発熱剤及び冷却剤、２液反応タイプの接着剤があり、医薬品では個液反応タイプや２液反応タイプの薬品及び輸液剤等の種々のものがある。これらの一対の内容物を容器や袋に収納する場合、従来は一対の内容物をそれぞれ別個に個包装し、保存、流通させていた。しかしながら、この場合、別個に個包装する為に包装時に使用する容器や袋を間違って使用してしまったり、生産設備も多種になって生産効率も悪く、さらに袋に収納した場合は一対の内容物を混合して使用する時に別容器が必要になる等種々の問題点を抱えていた。
【発明の開示】
【発明が解決しようとする課題】
【０００３】
本発明の課題は、使用する包装材料のガスバリア性の要求レベルが異なる一対の内容物を同一袋内にセットで収納でき、その内容物を混合使用する時も容易に混合が可能な包装袋を提供することにある。
【課題を解決するための手段】
【０００４】
本発明の請求項１に係る発明は、基材フィルム層の一方の面にシーラント層を積層し、他方の面に基材フィルム層より狭い所定幅のガスバリア層を積層した積層材料からなり、一辺に開口辺を有し、他辺がシールされている袋であって、開口辺の所定位置に直角方向に設けたイージーピール性のヒートシール部で隔離された２つの内容物収納部を有し、該内容物収納部の片方が前記積層材料のガスバリア層が積層されている層構成部分で囲まれており、他方が前記積層材料のガスバリア層が積層されていない層構成部分で囲まれていることを特徴とする包装袋である。
【０００５】
本発明の請求項２に係る発明は、上記請求項１に係る発明において、前記ガスバリア層が水蒸気透過度２０ｇ／ｍ2 ・２４ｈ以下で、酸素透過度５ｍｌ／ｍ2 ・２４ｈ・ａｔｍ以下であるバリア性積層フィルムからなることを特徴とする包装袋である。
【０００６】
本発明の請求項３に係る発明は、上記請求項１又は請求項に係る発明において、前記イージーピール性のヒートシール部のシール強度が９０°剥離で２〜１０Ｎ／１５ｍｍ幅であることを特徴とする包装袋である。
【発明の効果】
【０００７】
本発明の包装袋は、基材フィルム層の一方の面にシーラント層を積層し、他方の面に基材フィルム層より狭い所定幅のガスバリア層を積層した積層材料からなり、一辺に開口辺を有し、他辺がシールされている袋であって、開口辺の所定位置に直角方向に設けたイージーピール性のヒートシール部で隔離された２つの内容物収納部を有し、該内容物収納部の片方が前記積層材料のガスバリア層が積層されている層構成部分で囲まれており、他方が前記積層材料のガスバリア層が積層されていない層構成部分で囲まれており、前記ガスバリア層が水蒸気透過度２０ｇ／ｍ2 ・２４ｈ以下で、酸素透過度５ｍｌ／ｍ2 ・２４ｈ・ａｔｍ以下であるバリア性積層フィルムからなり、前記イージーピール性のヒートシー
ル部のシール強度が９０°剥離で２〜１０Ｎ／１５ｍｍ幅であるので、ガスバリア性の要求レベルの異なる一対の内容物をセットで収納でき、内容物を別別に個包装する場合に比べて包装コストの低減ができ、生産効率も良くなり、収納した一対の内容物を混合して使用する場合でも、開口辺の所定位置に直角方向に設けたイージーピール性のヒートシール部を手で容易に部分的に開封し、混合できるので、混合時に内容物が飛び散ることがなく安全であり、さらにガスバリア層として透明なバリア性積層フィルムを使用すれば、保存時に内容物の変質の有無を視認でき、混合状態なども容易に確認できるなどの種々の利点がある。
【発明を実施するための最良の形態】
【０００８】
本発明の包装袋を実施の形態に沿って、以下に説明する。
【０００９】
図２は本発明の包装袋に使用する一実施形態の積層材料の側断面図であり、積層材料（２０）は、基材フィルム層（２１）の一方の面に接着剤層（２２）を介してシーラント層（２３）を積層し、他方の面に接着剤層（２４）を介して基材フィルム層（２１）より狭い所定幅のガスバリア層（２５）を積層した積層構成からなっている。
【００１０】
前記基材フィルム層（２１）に使用されるフィルムは、二軸延伸ポリプロピレンフィルム、二軸延伸ポリエステルフィルム、二軸延伸ナイロンフィルムである。
【００１１】
前記接着剤層（２２）、（２４）には、一般的にポリウレタン系接着剤を使用する。通常、水酸基を持った主剤とイソシアネート基を持った硬化剤とを２液混合して使用する２液型が使用される。その積層方法は公知のグラビアコート方式で積層する。塗布量は１〜５ｇ／ｍ2（乾燥状態）が良い。
【００１２】
前記シーラント層（２３）は、ポリオレフィン系樹脂単体あるいはポリオレフィン系樹脂に他の樹脂を分散させたポリマーアロイからなっており、厚みは適宜選定する。
【００１３】
前記ガスバリア層（２５）は、基材フィルム層（２１）より狭い所定幅のバリア性積層フィルムからなっており、水蒸気透過度は２０ｇ／ｍ2 ・２４ｈ以下であり、酸素透過度は５ｍｌ／ｍ2 ・２４ｈ・ａｔｍ以下である。バリア性積層フィルムの種類は、透明なものとして、二軸延伸ポリエステルフィルムの片面にポリビニルアルコールと無機層状化合物からなるガスバリア被膜層を積層した積層フィルム、二軸延伸ポリエステルフィルムの片面に酸化珪素若しくは酸化アルミニウムの蒸着薄膜層、水溶性高分子と（ａ）一種以上の金属アルコキシド及びその加水分解物又は（ｂ）塩化錫の少なくとも一方を含むものからなるガスバリア性被膜層を積層した積層フィルムが使用でき、不透明なものとして、アルミニウム箔、アルミニウム蒸着二軸延伸ポリプロピレンフィルム、アルミニウム蒸着二軸延伸ナイロンフィルム、アルミニウム蒸着二軸延伸ポリエステルフィルムなどが使用される。幅は基材フィルム層（２１）の半分程度である。積層方法は前記バリア性積層フィルムを二軸延伸ポリプロピレンフィルム、二軸延伸ナイロンフィルムあるいは二軸延伸ポリエステルフィルムが最外面になるるようにして公知のドライラミネート法で積層する。
【００１４】
図１（ａ）は本発明の包装袋の一実施形態を示す平面図であり、（ｂ）は（ａ）のＡ−Ａ′面の拡大断面説明図であり、包装袋（１）は周囲の３辺にヒートシール部（２、３、４）を有し、残り一辺に開口辺（６）を有しており、さらに開口辺の所定位置に直角方向に設けたイージーピール性のヒートシール部（５）で隔離された内容物収納部（１０、１１）を有している。前記内容物収納部（１０）は前記積層材料（２０）の接着剤層（２４）、ガスバリア層（２５）を積層した層構成部分で囲まれており、内容物収納部（１１）は前記積層材料（２０）の接着剤層（２４）、ガスバリア層（２５）を積層していない層構成部分で囲まれている。
【００１５】
前記ヒートシール部（３、４）のシーラント層（２３）同士をシールした熱融着部（７、８）のシール強度は９０°剥離で１０Ｎ／１５ｍｍ幅を超えるようにシールされており、ヒートシール部（５）のシーラント層（２３）同士をシールした熱融着部（９）のシール強度は９０°剥離で２〜１０Ｎ／１５ｍｍ幅になるようにシールされているのでイージーピール性を有している。前記熱融着部（９）のシール強度が２Ｎ／１５ｍｍ幅未満の場合は弱すぎて、剥離してしまう危険があり、１０Ｎ／１５ｍｍ幅を超えるとイージーピール性が無くなり良くない。従って、前記ヒートシール部（５）の熱融着部（９）のシール強度が好ましい範囲に設定されているので、例えば内容物収納部（１０、１１）の内容物を混合する場合はヒートシール部（５）の熱融着部（９）を手で部分的に容易に開封して混合することが可能であり、混合時に内容物が包装袋外にこぼれることも無い。
【００１６】
本発明の包装袋を、以下に具体的な実施例に従って説明するが、本発明がこれらの実施例に限定されるものではない。
【実施例１】
【００１７】
基材フィルム層（２１）として、厚さ２０μｍ、幅５００ｍｍの二軸延伸ポリプロピレン（ＯＰＰ）フィルムを使用し、ガスバリア層（２５）として、厚さ１２μｍ、幅２５０ｍｍの二軸延伸ポリエステルフィルムの片面に厚さ５０ｎｍの酸化珪素蒸着薄膜層を積層し、その上にテトラエトキシシラン１０．４ｇに塩酸（０．１Ｎ）を８９．６ｇを加えて３０分間攪拌し、加水分解した固形分３ｗｔ％（ＳｉＯ2換算）の溶液と、固形分３ｗｔ％のポリビニルアルコール溶液を重量比で６０／４０に混合した混合液を用いた厚さ０．５μｍのガスバリア性被膜層を積層したもので、水蒸気透過度が１．０ｇ／ｍ2・２４で、酸素透過度が０．５ｍｌ／ｍ2 ・２４ｈ・ａｔｍであるバリア性積層フィルムを使用し、シーラント層（２３）として厚さ５０μｍで、幅５００ｍｍの低密度ポリエチレン樹脂にポリプタジエンを分散させたポリマーアロイ樹脂フィルムを使用し、接着剤層（２２、２４）として２液反応型のポリウレタン系接着剤を使用し、ドライラミネート機で、二軸延伸ポリエステルフィルム（１２μｍ）／酸化珪素蒸着薄膜層（５０ｎｍ）／ガスバリア性被膜層（０．５μｍ）／ポリウレタン系接着剤（乾燥状態塗布量、３ｇ／ｍ2）／ＯＰＰフィルム（２０μｍ）／ポリウレタン系接着剤（乾燥状態塗布量、３ｇ／ｍ2）／ポリマーアロイ樹脂フィルム（５０μｍ）構成の積層材料を作成し、その積層材料を用いて図１（ａ）及び（ｂ）に示す同一形状で、外寸法が１５０×１５０ｍｍで、ヒートシール部（２、３、４）の幅が１５ｍｍで、ヒートシール部（５）の幅が７ｍｍで、内容物収納部（１０、１１）を有する本発明の包装袋を作成した。
【実施例２】
【００１８】
実施例１において、ガスバリア層（２５）として、厚さ１２μｍ、幅２５０ｍｍの二軸延伸ポリエステルフィルムの片面に厚さ５０ｎｍのアルミニウム蒸着薄膜層を積層したもので、水蒸気透過度が０ｇ／ｍ2・２４で、酸素透過度が０／ｍ2 ・２４ｈ・ａｔｍであるバリア性積層フィルムを使用した以外は、同様にして積層材料及びそれを用いた本発明の包装袋を作成した。
【００１９】
以下に、本発明の比較用の実施例について説明する。
【実施例３】
【００２０】
ガスバリア層として、水蒸気透過度が７．０ｇ／ｍ2・２４で、酸素透過度が１５００ｍｌ／ｍ2 ・２４ｈ・ａｔｍである厚さ２０μｍ、幅２５０ｍｍの二軸延伸ポリプロピレンフィルムを使用した以外は、実施例１と同様にして比較用の積層材料及びそれを用いた比較用の包装袋を作成した。
【実施例４】
【００２１】
シーラント層として、厚さ５０μｍ、幅５００ｍｍの直鎖状低密度ポリエチレン樹脂フィルム（東セロ（株）、商品名：ＴＵＸ−ＦＣＳ）を使用した以外は、実施例１と同様にして比較用の積層材料及びそれを用いた比較用の包装袋を作成した。
【００２２】
〈評価〉
実施例１〜２の本発明の包装袋及び実施例３〜４の比較用の包装袋を用いて、内容物収納部（１０）に内容物としてｐＨ１１の染料及びアンモニア含有液２０ｍｌを充填、密封し、内容物収納部（１１）に過酸化水素水含有液２０ｍｌを充填、密封したものを作成した。前記充填密封品を４０℃、７５％ＲＨ環境条件下で６ケ月間保存後に内容物収納部（１０）に充填した液の変色の有無を検査すると共に及び包装袋の２つの内容物収納部間に設けたシーラント層を手で部分開封し、その際の開封性の難易を評価した。その結果を表１に示す。
【００２３】
【表１】
2005153979.tif 000003
表１の結果に示すように、実施例１〜２の本発明の包装袋を使用したものは４０℃、７５％ＲＨ環境条件下で６ケ月間保存後も染料及びアンモニア含有液の変色は無く、袋の２つの内容物収納部間に設けたヒートシール部はイージーピール性を有しているので容易に手で部分開封でき、内容物も容易に混合できた。一方、実施例３の比較用の包装袋を使用したものは保存後に染料及びアンモニア含有液は変色しており、実施例４の比較用の包装袋を使用したものは、袋の２つの内容物収納部間に設けたヒートシール部のシール強度が強くて、開封し難く、内容物の混合は困難であった。
【図面の簡単な説明】
【００２４】
【図１】（ａ）は本発明の包装袋の一実施形態を示す平面図であり、（ｂ）は（ａ）のＡ−Ａ′面の拡大断面説明図である。
【図２】本発明の包装袋に使用される一実施形態の積層材料の側断面図である。
【符号の説明】
【００２５】
１…包装袋
２，３，４，５…ヒートシール部
６…開口辺
７，８，９…熱融着部
１０，１１…内容物収納部
２０…積層材料
２１…基材フィルム層
２２…接着剤層
２３…シーラント層
２４…接着剤
２５…ガスバリア層
【図１】
2005153979.tif 000004
【図２】
2005153979.tif 000005